(57)【要約】  本発明の主題は、釣り糸を釣り竿のロッドリングに通すための釣り糸挿入の補助具である。上記のタイプの釣り糸を素早くかつ容易に釣り竿のロッドリングに通すことができる釣り糸挿入の補助具の作成は、糸の刻み目（１１２）が締着するように釣り糸（１４）を固定するために埋め込まれている本質的に細長い本体（１１０）によって達成される。【選択図】  図５
2018527018.tif 000002
【特許請求の範囲】
【請求項１】
釣り竿のロッドリングに、釣り糸（１４）を通すための釣り糸挿入の補助具であって、糸の刻み目（１２、１１２、３１２）が締着するように該釣り糸（１４）を固定するために埋め込まれている、本質的に細長い本体（１０、１１０）により特徴付けられる、釣り糸挿入の補助具。
【請求項２】
前記糸の刻み目（１２、１１２、３１２）がテーパーを付けて形成されることにおいて特徴付けられる、請求項１に記載の釣り糸挿入の補助具。
【請求項３】
前記糸の刻み目（１２、１１２、３１２）が軸方向において向きを定められることにおいて特徴付けられる、請求項１又は請求項２に記載の釣り糸挿入の補助具。
【請求項４】
前記糸の刻み目（１２、１１２、３１２）の一端から始まり前記本体（１０,１１０）の端部まで続く少なくとも１つの溝（１８）が前記釣り糸（１４）を受容するために形成されることにおいて特徴付けられる、請求項１から請求項３のいずれか一項に記載の釣り糸挿入の補助具。
【請求項５】
前記糸の刻み目（１２、１１２、３１２）の上に形成される縁（１６）がその自由端上に外側で平らにされて形成されることにおいて特徴付けられる、請求項１から請求項４のいずれか一項に記載の釣り糸挿入の補助具。
【請求項６】
前記本体が少なくとも部分的に湾曲して形成されることにおいて特徴付けられる、請求項１から請求項５のいずれか一項に記載の釣り糸挿入の補助具。
【請求項７】
戻り止め具（１２０、３２０）が前記本体（１１０）の上に形成されることにおいて特徴付けられる、請求項１から請求項６のいずれか一項に記載の釣り糸挿入の補助具。
【請求項８】
前記戻り止め具（１２０、３２０）が、軸方向において向きを定められ、前記糸の刻み目（１１２、３１２）の方へ開いた前記本体（１１０）に埋め込まれたスロット（１２２）を含むことにおいて特徴付けられる、請求項７に記載の釣り糸挿入の補助具。
【請求項９】
舌部（１２４）が前記本体（１１０）から放射状に少なくとも部分的に突出して前記スロット（１２２）の上に形成されることにおいて特徴付けられる、請求項７又は請求項８に記載の釣り糸挿入の補助具。
【請求項１０】
圧力が掛かった前記舌部（１２４）が前記本体（１１０）へ完全に揺動して入ることができるように、該舌部（１２４）が弾力的に構成されることにおいて特徴付けられる、請求項７から請求項９のいずれか一項に記載の釣り糸挿入の補助具。
【発明の詳細な説明】
【技術分野】
【０００１】
本発明は、請求項１の前文による釣り竿のロッドリングに釣り糸を通すための釣り糸通しの補助具に関する。
【背景技術】
【０００２】
釣り竿で釣りをする間、新しい釣り糸を挿入しなければならない状況がしばしば発生する。そのプロセスの間、釣り糸の自由端は、この自由端がもつれて更に補助具が必要となる前に、ロッドに固定されたロッドリングに通されなければならない。釣り糸をロッドリングに通すため、ホルダー及び金属針を含む釣り糸を通す装置は、独国特許発明第１９９９２１９９号明細書から公知であり、そこにおいて、ホルダーは、長手方向の溝が金属針を受容して導くために成形されるように間隔を置いて配置される２つの軸受面を含み、長手方向の溝の下の軸受面におけるホルダーは永久磁石を含む。独国特許発明第１９９０２１９９号明細書による装置なしで釣り糸を通すこと、及び、独国特許発明第１９９０２１９９号明細書による装置で様々なロッドリングに釣り糸を通すことは、非常に面倒であり、特にそのような釣り竿は非常に長い可能性があるために技術が必要となる。
【先行技術文献】
【特許文献】
【０００３】
【特許文献１】独国特許発明第１９９０２１９９号明細書
【発明の概要】
【発明が解決しようとする課題】
【０００４】
それゆえに、本発明の目的は、釣り糸を素早くかつ容易に釣り竿のロッドリングに通すことができる上記のタイプの釣り糸通しの補助具を作成することである。
【課題を解決するための手段】
【０００５】
その目的に対する技術的な解決法として、特許請求項１の特徴を有する上記のタイプの釣り糸通しの補助具が本発明によって提案される。その釣り糸通しの補助具の更に好都合な実施態様は、従属請求項から得ることができる。
【０００６】
その技術的な教示により形成される釣り糸通しの補助具は、必要に応じて、また片手だけで釣り糸を単純なやり方で糸の刻み目に締着することができ、釣り人が個々のロッドリングを通じて糸を導くために釣り糸挿入の補助具を用いるという利点を有する。ロッドリングを通じた釣り糸挿入の補助具による糸通しは、なお非常に細い釣り糸をそれぞれに通すよりも明らかに容易である。釣り糸が全てのロッドリングで通された後、釣り糸はそれから、これに必要である大きな物理的な労力なしで糸の刻み目の締着から単純なやり方で解放することができる。
【０００７】
更なる好適な実施態様において、テーパーを付けて糸の刻み目を作成することが好都合であることが判明した。これによって、糸の刻み目に異なる厚みの釣り糸を締着することが可能になる。
【０００８】
好適な実施態様において、糸の刻み目は軸方向に向きを定められる。これは、釣り糸がロッドリングを通じた釣り糸挿入の補助具を通過する間、糸の刻み目の方へ更に引っ張られ、従って釣り糸の不注意によるずれ落ちを避けることができるという利点を有する。
【０００９】
他の好適な実施態様において、釣り糸を受容するため、糸の刻み目の端から始まり本体の端部まで続く溝が形成される。これは、糸の刻み目から突出している釣り糸を、釣り糸挿入の補助具の全体の直径を増加させることなく、その溝に収容することができるという利点を有し、その結果、釣り糸挿入の補助具の直径は最も小さいロッドリングの直径に対応することができ、一方で、釣り糸挿入の補助具の製造を容易にし、他方で、釣り糸挿入の補助具のグリップ及び扱いやすさを向上させるという利点につながる。
【００１０】
他の好適な実施態様によれば、糸の刻み目の上に、その自由端で外側が平らにされる縁が形成される。糸の刻み目に釣り糸を締着した後、その縁は、放射状に外側へ突出する可能性があり、従って、ロッドリングを通って釣り糸挿入の補助具を通過することが難しくなる。縁を平らにすることで、この問題は明らかに軽減される。
【００１１】
更に別の好適な実施態様において、本体は、少なくとも部分的に長手方向に湾曲して形成される。これは、釣り糸挿入の補助具は挿入の間、釣り人の自然な動きに従うので、結果として釣り糸挿入の補助具のロッドリングへの挿入、そして以降の取り外しが明らかに容易になるという利点を有する。
【００１２】
更に別の好適な実施態様において、戻り止め具が本体に提供され、そこにおいて、戻り止め具は、糸の刻み目の方へスロット開口により本体に導入されるスロットとして好ましくは形成される。
【００１３】
戻り止め具は、釣り人が対応するロッドリング上で戻り止め具を有する釣り糸挿入の補助具を載置することによって、ロッドリングのうちの１つに糸を通すのを中断することができ、従って、すでに通したロッドリングから釣り糸が外れることなく他のものに集中する時間及び機会を有することができるという利点を有する。
【００１４】
ここで、本体から少なくとも部分的に放射状に外側に突出するスロットの上に形成される舌部を有し、必要に応じて、圧力が掛かった舌部が本体へ完全に揺動して入ることができるように弾力的にその舌部を形成することが好都合であることが判明した。
【００１５】
スロット及び軸方向における関連する舌部の配置は、ロッドリングを通じた釣り糸挿入の補助具を通過する間、舌部が釣り糸挿入の補助具の本体に対して押圧され、従って障害にはならないという更なる利点を有する。材料の固有の貯蔵能力のために、釣り人が釣り糸挿入の補助具を解放して、ロッドリングから不注意にずれ落ちを防ぐように釣り糸挿入の補助具をしっかり固定する場合に、ロッドリングを除いた後の舌部は放射状に外れ、それにより戻り止め具が作動する。
【００１６】
更に別の実施態様において、例えば、薄明又は夜間のように照明状態が悪い場合にも、釣り糸を釣り糸挿入の補助具によってロッドリングに通すことができるように、蛍光材料から釣り糸挿入の補助具を製造することが好都合であることが判明した。
【００１７】
本発明の釣り糸挿入の補助具の更なる利点は、添付の図面及び以下に記載の実施態様から生じるものである。また、上記の特徴及び更に説明される特徴は、いずれの場合においても個別に、あるいは互いに組合せて本発明に従って用いることができる。言及される実施態様は網羅的な記載とはみなされず、むしろ例示的な性質を有するものである。
【図面の簡単な説明】
【００１８】
【図１】図１は、釣り糸が通った本発明の釣り糸通しの補助具の第１の実施態様の上面図である。
【図２】図２は、図１による釣り糸通しの補助具の側面図である。
【図３】図３は、図１による釣り糸通しの補助具の正面図である。
【図４】図４は、本発明の釣り糸通しの補助具の第２の実施態様の上面図である。
【図５】図５は、図４による釣り糸通しの補助具の側面図である。
【図６】図６は、本発明の釣り糸通しの補助具の第３の実施態様の側面図である。
【図７】図７は、本発明の釣り糸通しの補助具の第４の実施態様の側面図である。
【発明を実施するための形態】
【００１９】
図１から３において、本発明の釣り糸挿入の補助具の第１の実施態様が示される。それは、本体１０と、本体の上に形成される糸の刻み目１２を含み、釣り糸１４は、締着して保つことができる。糸の刻み目１２は、本体１０の軸方向において向きを定められ、その自由端上に外側で平らにされて形成された縁１６を含む。
【００２０】
糸の刻み目１２は、締着して様々な厚みの釣り糸１４を受容することができるようにテーパーを付けて形成される。糸の刻み目１２の両側には、各々釣り糸１４を受容するため、糸の刻み目１２の一端から始まり本体１０の端部まで続く溝１８が形成される。
【００２１】
図１から３に示される挿入の補助具は、弾力的であるが寸法安定性のあるプラスチック材料で形成され、蛍光色を有する。
【００２２】
図４及び５において、本発明の釣り糸挿入の補助具の第２の実施態様が示され、そこで、図１から３に記載の釣り糸挿入の補助具と同じく形成されるが、加えて戻り止め具１２０を含んで形成される。この戻り止め具１２０は、軸方向において向きを定められ、糸の刻み目１１２に向かって開いて本体１１０に埋め込まれたスロット１２２として形成される。戻り止め具１２０はまた、弾力的に形成される放射状にやや突出する舌部１２４を含む。この舌部１２４により、釣り糸挿入の補助具は、逆方向へ動くときに釣り竿で動かないままとなり、従って、すでに通されたロッドリングからの釣り糸の不注意な摺動を防ぐ。
【００２３】
図６において、図１から３に示された実施態様に類似して構成される本発明の釣り糸挿入の補助具の第３の実施態様が示される。唯一の相違は、ここでは、本体２１０が縦軸に沿って湾曲して形成されていることである。これによって、ロッドリングを通じて導く自然の手の動きが考慮されるので、挿入は更に容易になる。
【００２４】
ここで示されない実施態様において、釣り糸挿入の補助具は、第２の実施態様に類似して形成され、更に縦軸に沿って湾曲して同様に更に形成される。
【００２５】
図７において、図４及び５で示された第２の実施態様に類似して形成される第４の実施態様が示されるが、そこにおいて、戻り止め具３２０は糸の刻み目３１２に対して９０°回転して配置される。
【００２６】
ここで示されない他の実施態様において、戻り止め具は糸の刻み目に対して１２０°又は１８０°回転して配置される。
【００２７】
ここで記載される釣り糸挿入の補助具は、以下のように用いられる：最初、釣り人は釣り糸１４の一端を持ち、釣り糸１４がそこで締着して保たれるまで、その端に近付くように釣り糸１４をテーパーが付いた糸の刻み目１２、１１２に深く導く。続いて、釣り人は、釣り糸挿入の補助具の本質的に円筒状の本体１０、１１０、２１０を持ち、それを最も低いロッドリングの中を通って押して、そして次のロッドリング等に通す。
【００２８】
釣り糸挿入の補助具がその糸の刻み目１２、１１２でロッドリングに引っかからないように、糸の刻み目１２、１１２の縁１６は、その自由端上で平らに形成される。理想的には、縁１６のどの部分も本体を越えて放射状に突出しないようになるまで平らにされる。
【００２９】
ロッドリングの中を通って釣り糸挿入の補助具を通す場合、特にロッドリングが非常に小さい場合、釣り糸１４は本体の左右に提供される溝１８に押圧されるので、釣り糸１４により本体１０、１１０、２１０の厚みが増すことはない。これは、釣り糸挿入の補助具が、より薄い釣り糸挿入の補助具を用いる必要なく最も小さいロッドリングも通すことができるという利点を有する。
【００３０】
釣り糸挿入の補助具が戻り止め具１２０を含む場合、ロッドリングを通じて部分的に押された後の釣り糸挿入の補助具がある程度再び引き戻されるために、糸通しは、釣り人によって容易に中断することができる。その弾力のためにロッドリングを通過する間の戻り止め具１２０の舌部１２４は、本体１１０に押圧されるので、ここで、本体１１０の断面の増加は生じない。戻り止め具１２０がロッドリングを通過した後、材料の特性のため、舌部１２４は放射状に外側へ飛ぶので、短く逆方向へ動いた後の釣り糸挿入の補助具は、ロッドリング上のそのスロット１２２に載置することができ、この位置において釣り糸１４が釣り竿に固定される。ここで、すでに通したロッドリングから釣り糸が外れることなく、釣り人は他の作業に取りかかることができる。
【００３１】
釣り糸挿入の補助具の蛍光性の構成のために、例えば、薄明又は夜間のように照明状態が悪い場合にも、それをうまく用いることができる。
【符号の説明】
【００３２】
１０、１１０、２１０  本体
１２、１１２、３１２  糸の刻み目
１４  釣り糸
１６  縁
１８  溝
１２０、３２０  戻り止め具
１２２  スロット
１２４  舌部
【図１】
2018527018.tif 000003
【図２】
2018527018.tif 000004
【図３】
2018527018.tif 000005
【図４】
2018527018.tif 000006
【図５】
2018527018.tif 000007
【図６】
2018527018.tif 000008
【図７】
2018527018.tif 000009
【国際調査報告】
2018527018.tif 000010
2018527018.tif 000011
2018527018.tif 000012
2018527018.tif 000013
2018527018.tif 000014
2018527018.tif 000015